(57)【要約】【課題】  縫製作業に邪魔になることなく、加工布の移動距離を検出する検出精度を向上して、手動による布送りに際して縫目ピッチの均一化が図れるようにすること。【解決手段】  キルティング縫いが開始されて、主軸の位相角が「１１５°」になり、縫針がキルティング生地の下側に移動したときに（Ｓ２１：Ｙｅｓ）、針数カウント値ＮＮが１つインクリメントされ（Ｓ２２）、この針数カウント値ＮＮが６針目以降の各縫製サイクルにおいて（Ｓ２３：Ｙｅｓ）、パルス数メモリから読み込んだパルス信号のカウント値に基づいて上糸消費量が演算される（Ｓ２４，Ｓ２５）。そして、このようにして求められた上糸消費量である縫目ピッチに基づいて、Ｓ１１で設定された基準の縫目ピッチとなるようミシンモータ１８の適正縫製速度が演算され（Ｓ２６）、この適正な縫製速度となるようにミシンモータ１８が制御される（Ｓ２７）。【選択図】  図６
2007313159.tif 000002
【特許請求の範囲】
【請求項１】
主軸の回転を介して縫針を上下駆動するミシンモータを備えた電子ミシンにおいて、
加工布を手動で布送りしながら縫製する際の縫目ピッチを設定する縫目ピッチ設定手段と、
縫製中の各縫製サイクルにおいて消費される上糸と下糸の少なくとも一方の糸消費量を検出する糸消費量検出手段と、
前記糸消費量検出手段からの出力に基づいて糸消費量を演算する糸消費量演算手段と、
前記糸消費量演算手段で演算された演算結果に基づいて、手動操作による布送り量が前記縫目ピッチ設定手段で設定された縫目ピッチとなるように前記ミシンモータの回転速度を制御する速度制御手段と、
を備えたことを特徴とする電子ミシン。
【請求項２】
前記糸消費量検出手段は、前記縫針側への上糸の繰り出しにより回転可能に構成された回転皿と、この回転皿の回転量を検出する回転量検出手段とを有することを特徴とする請求項１に記載の電子ミシン。
【請求項３】
前記糸消費量検出手段は、上糸と下糸の少なくとも一方を撮像するＣＣＤイメージセンサ又はＣＭＯＳイメージセンサからなる撮像手段と、この撮像手段から出力される画像データを処理する画像データ処理手段とを有することを特徴とする請求項１に記載の電子ミシン。
【請求項４】
前記糸消費量検出手段は、前記各縫製サイクルにおける糸消費量を、前記縫針が加工布に刺さるときの前記主軸の所定の回転位相角までに決定することを特徴とする請求項１〜３の何れかに記載の電子ミシン。
【請求項５】
前記糸消費量検出手段は、前記主軸の回転位相角を検出する位相角検出手段と、前記上糸と下糸の少なくとも一方の糸消費に伴って供給される上糸と下糸の少なくとも一方の糸供給開始タイミングを検出するタイミング検出手段とを有することを特徴とする請求項１に記載の電子ミシン。
【請求項６】
前記タイミング検出手段は、前記上糸を糸掛けする為の糸掛け経路上に設けられる糸取りバネと、この糸取りバネのバネ力が前記上糸に作用しないバネ力不作用位置から前記上糸にバネ力が作用するバネ力作用位置へ切り換わる切り換わりタイミングを検出する糸取りバネタイミング検出手段とを有することを特徴とする請求項５に記載の電子ミシン。
【請求項７】
主軸の回転を介して縫針を上下駆動するミシンモータを備えた電子ミシンを制御する制御手段のコンピュータに実行させるミシンモータ制御プログラムであって、
加工布を手動で布送りしながら縫製する際の縫目ピッチを設定する縫目ピッチ設定ルーチンと、
縫製中の各縫製サイクルにおいて消費される上糸と下糸の少なくとも一方の糸消費量を検出する糸消費量検出ルーチンと、
前記糸消費量検出ルーチンからの出力に基づいて糸消費量を演算する糸消費量演算ルーチンと、
前記糸消費量演算ルーチンで演算された演算結果に基づいて、手動操作による布送り量が前記縫目ピッチ設定ルーチンで設定された縫目ピッチとなるように前記ミシンモータの回転速度を制御する速度制御ルーチンと、
を含むことを特徴とするミシンモータ制御プログラム。
【発明の詳細な説明】
【技術分野】
【０００１】
本発明は電子ミシン及びミシンモータ制御プログラムに関し、特に、作業者が手動で布送りしながらキルティング縫いする場合の布送りピッチを均一化させるようにしたものに関する。
【背景技術】
【０００２】
従来、表布と裏布との間に、綿や羽毛、又はウレタンフォーム等を詰めた３層構造の生地に、表側から装飾的に模様を描きながら縫目を形成するキルティング縫いが要望されている。この場合、ユーザーは、針棒を上下駆動させておいて、３層構造のキルティング生地を任意の方向に自由に移動させて、直線縫目や曲線縫目を組み合わせて、キルティング縫いを楽しむようにしている。
【０００３】
例えば、特許文献１に記載のミシンは、ミシンのアーム部の頭部にイメージセンサを下向きに取付け、縫製中にこのイメージセンサからマイコンに入力される映像の一部を静止画像として微小時間毎に取り込み、第１割込み処理により加工布の移動距離を演算し、第２割込み処理により、予め設定されたピッチ幅と演算された移動距離に基づいて、針棒の動作速度、つまりミシンモータの回転速度が求められ、この回転速度となるようにミシンモータの回転速度を変更するようにして、手動で布送りされる縫目のピッチ幅を均一に揃えるようにしてある。
【特許文献１】特開２００２−２９２１７５号公報  （第３〜４頁、図３〜図５）
【発明の開示】
【発明が解決しようとする課題】
【０００４】
特許文献１に記載のミシンにおいては、縫製中における加工布の移動距離を、アーム部の頭部に設けたイメージセンサから出力される微小時間毎の複数の静止画像を画像処理することにより求めるようにしているが、イメージセンサによる画像情報は、加工布の色や材質、縫製時に照射される外光の色や明るさに影響を受けるだけでなく、イメージセンサから加工布までの距離により悪化する場合があり、加工布の移動距離を常に精度よく求めることができず、縫目のピッチ幅の均一化は非常に困難である。
【０００５】
そこで、加工布の移動距離の検出精度を向上させるために、イメージセンサを加工布に接近させた位置、つまり針落ち位置の近傍に設けることが考えられるが、作業者による縫製作業に邪魔になり、作業性に劣ること等の問題がある。
【０００６】
本発明の目的は、縫製作業に邪魔になることなく、加工布の移動距離を検出する検出精度を向上して、手動による布送りに際して縫目ピッチの均一化が図れるようにすることである。
【課題を解決するための手段】
【０００７】
請求項１の電子ミシンは、主軸の回転を介して縫針を上下駆動するミシンモータを備えた電子ミシンにおいて、加工布を手動で布送りしながら縫製する際の縫目ピッチを設定する縫目ピッチ設定手段と、縫製中の各縫製サイクルにおいて消費される上糸と下糸の少なくとも一方の糸消費量を検出する糸消費量検出手段と、糸消費量検出手段からの出力に基づいて糸消費量を演算する糸消費量演算手段と、糸消費量演算手段で演算された演算結果に基づいて、手動操作による布送り量が縫目ピッチ設定手段で設定された縫目ピッチとなるようにミシンモータの回転速度を制御する速度制御手段とを備えたものである。
【０００８】
縫製処理が実行される縫製中の各縫製サイクルにおいて、布送りにより消費される上糸と下糸の少なくとも一方の糸消費量が糸消費量検出手段により検出され、しかも糸消費量が糸消費量演算手段により糸消費量検出手段からの出力に基づいて演算されるので、このように演算された糸消費量に基づいて、手動操作による布送り量が縫目ピッチ設定手段で設定された縫目ピッチとなるように、ミシンモータの回転速度が制御される。
【０００９】
その結果、実際の縫目ピッチが設定された縫目ピッチよりも大きい場合には、ミシンモータの回転速度が速くなり、実際の縫目ピッチが設定された縫目ピッチよりも小さい場合には、ミシンモータの回転速度が遅くなる。それ故、作業者により手動で布送りされる加工布の移動距離、つまり縫目ピッチが揃うようになり、見栄えのよいキルティング縫いに仕上がる。
【００１０】
請求項２の電子ミシンは、請求項１において、前記糸消費量検出手段は、縫針側への上糸の繰り出しにより回転可能に構成された回転皿と、この回転皿の回転量を検出する回転量検出手段とを有するものである。
【００１１】
請求項３の電子ミシンは、請求項１において、前記糸消費量検出手段は、上糸と下糸の少なくとも一方を撮像するＣＣＤイメージセンサ又はＣＭＯＳイメージセンサからなる撮像手段と、この撮像手段から出力される画像データを処理する画像データ処理手段とを有するものである。
【００１２】
請求項４の電子ミシンは、請求項１〜３の何れかにおいて、前記糸消費量検出手段は、各縫製サイクルにおける糸消費量を、縫針が加工布に刺さるときの主軸の所定の回転位相角までに決定するものである。
【００１３】
請求項５の電子ミシンは、請求項１において、前記糸消費量検出手段は、主軸の回転位相角を検出する位相角検出手段と、上糸と下糸の少なくとも一方の糸消費に伴って供給される上糸と下糸の少なくとも一方の糸供給開始タイミングを検出するタイミング検出手段とを有するものである。
【００１４】
請求項６の電子ミシンは、請求項５において、前記タイミング検出手段は、上糸を糸掛けする為の糸掛け経路上に設けられる糸取りバネと、この糸取りバネのバネ力が上糸に作用しないバネ力不作用位置から上糸にバネ力が作用するバネ力作用位置へ切り換わる切り換わりタイミングを検出する糸取りバネタイミング検出手段とを有するものである。
【００１５】
請求項７のミシンモータ制御プログラムは、主軸の回転を介して縫針を上下駆動するミシンモータを備えた電子ミシンを制御する制御手段のコンピュータに実行させるに際して、加工布を手動で布送りしながら縫製する際の縫目ピッチを設定する縫目ピッチ設定ルーチンと、縫製中の各縫製サイクルにおいて消費される上糸と下糸の少なくとも一方の糸消費量を検出する糸消費量検出ルーチンと、糸消費量検出ルーチンからの出力に基づいて糸消費量を演算する糸消費量演算ルーチンと、糸消費量演算ルーチンで演算された演算結果に基づいて、手動操作による布送り量が前記縫目ピッチ設定ルーチンで設定された縫目ピッチとなるようにミシンモータの回転速度を制御する速度制御ルーチンとを含むものである。
【００１６】
このように、ミシンモータ制御プログラムは、縫目ピッチ設定ルーチンと、糸消費量検出ルーチンと、糸消費量演算ルーチンと、速度制御ルーチンとを含むので、前記請求項１と同様の作用を奏する。
【発明の効果】
【００１７】
請求項１発明によれば、主軸の回転を介して縫針を上下駆動するミシンモータを備えた電子ミシンにおいて、縫目ピッチ設定手段と、糸消費量検出手段と、糸消費量演算手段と、速度制御手段とを備えたので、実際の縫目ピッチが設定された縫目ピッチよりも大きい場合には、ミシンモータの回転速度が速くなるように制御される一方、実際の縫目ピッチが設定された縫目ピッチよりも小さい場合には、ミシンモータの回転速度が遅くなるように制御される。
【００１８】
それ故、加工布の色や材質、縫製時に照射される外光の色や明るさに影響を受けることなく、作業者により手動で布送りされる加工布の移動距離、つまり縫目ピッチが予め設定された基準の縫目ピッチに揃うようになり、見栄えのよい縫い仕上がりになる。
【００１９】
請求項２の発明によれば、前記糸消費量検出手段は、縫針側への上糸の繰り出しにより回転可能に構成された回転皿と、この回転皿の回転量を検出する回転量検出手段とを有するので、小型且つ簡単な構成の回転量検出手段により、低コスト化が図れ、しかも糸消費量を精度良く検出することができる。その他その他請求項１と同様の効果を奏する。
【００２０】
請求項３の発明によれば、前記糸消費量検出手段は、上糸と下糸の少なくとも一方を撮像するＣＣＤイメージセンサ又はＣＭＯＳイメージセンサからなる撮像手段と、この撮像手段から出力される画像データを処理する画像データ処理手段とを有するので、小型且つ安価な撮像手段を設けるだけで、上糸又は下糸の糸消費量を、画像処理により無接触で精度良く求めることができる。その他請求項１と同様の効果を奏する。
【００２１】
請求項４の発明によれば、前記糸消費量検出手段は、各縫製サイクルにおける糸消費量を、縫針が加工布に刺さるときの主軸の所定の回転位相角までに決定するので、手動による布送りが実行された布送り完了時点で布送りにより消費された糸消費量を決定することができ、次の布送りに際して、主軸の回転速度を迅速に反映することができ、縫目ピッチの均一化を図ることができる。その他請求項１〜３の何れかと同様の効果を奏する。
【００２２】
請求項５の発明によれば、前記糸消費量検出手段は、主軸の回転位相角を検出する位相角検出手段と、上糸と下糸の少なくとも一方の糸消費に伴って供給される上糸と下糸の少なくとも一方の糸供給開始タイミングを検出するタイミング検出手段とを有するので、布送りにより消費された上糸と下糸の少なくとも一方の糸供給が開始される糸供給開始タイミングは、糸消費量が多い場合には速くなり、糸消費量が少ない場合には遅くなることから、糸供給が開始されるときのタイミング（主軸の回転位相角）を検出することで、糸消費量を演算でき、糸消費量に応じてミシンモータの回転速度を制御することができる。
【００２３】
請求項６の発明によれば、前記タイミング検出手段は、上糸を糸掛けする為の糸掛け経路上に設けられる糸取りバネと、この糸取りバネのバネ力が上糸に作用しないバネ力不作用位置から上糸にバネ力が作用するバネ力作用位置へ切り換わる切り換わりタイミングを検出する糸取りバネタイミング検出手段とを有するので、布送りにより消費された上糸を布送りの最終時点において糸駒から供給するに際して、糸消費量が多い程、糸取りバネは早いタイミングでバネ力作用位置へ切り換わることから、糸取りバネの切り換わりタイミング、つまり糸消費量に応じたミシンモータの速度制御を、今回の布送りの最終時点で迅速に反映することができる。その他請求項５と同様の効果を奏する。
【００２４】
請求項７の発明によれば、主軸の回転を介して縫針を上下駆動するミシンモータを備えた電子ミシンを制御する制御手段のコンピュータに実行させるミシンモータ制御プログラムであって、縫目ピッチ設定ルーチンと、糸消費量検出ルーチンと、糸消費量演算ルーチンと、速度制御ルーチンとを含むので、請求項１と同様の効果を奏することができる。
【発明を実施するための最良の形態】
【００２５】
本発明のミシン及びミシンモータ制御プログラムは、予め設定された基準の縫目ピッチに対して、実際の縫目ピッチ（布送り量）が小さい場合にはミシンモータの回転速度を遅くし、実際の縫目ピッチが大きい場合にはミシンモータの回転速度を速くするようにして、手動操作による布送りであっても、縫目ピッチが揃うようにしてある。
【実施例】
【００２６】
図１に示すように、多針ミシンＭは、ミシン全体を支持する左右１対の脚部１と、その脚部１の後端部から立設された脚柱部２と、その脚柱部２の上部から前方に延びるアーム部３と、アーム部３の前端部に装着された針棒ケース４と、脚柱部２の下端部から前方に延びるシリンダベッド５と、操作パネル６等から構成されている。
【００２７】
脚部１の上側に左右方向向きのキャリッジ７が設けられ、このキャリッジ７の内部には、Ｘ軸駆動モータ５１（図４参照）でキャリッジ７の前側に設けられた枠取付台８を左右方向に駆動する左右駆動機構（図示略）が設けられている。脚部１内には、Ｙ軸駆動モータ５２（図４参照）でキャリッジ７を前後方向に駆動する前後駆動機構（図示略）が設けられている。
【００２８】
刺繍縫製に供する加工布は刺繍枠９に保持され、この刺繍枠９が枠取付台８に取付けられてセットされる。枠取付台８は、左右駆動機構により左右方向へ移動駆動され、キャリッジ７は前後駆動機構により前後方向へ移動駆動される。このようにして、刺繍枠９がキャリッジ７と同期して前後方向に移動し、枠取付台８と共に左右方向に移動されて、加工布が布送りされる。
【００２９】
アーム部３の前端部に設けられた針棒ケース４には、６本の針棒１０が上下動可能に装着され、各針棒１０の下端部に縫針１１が夫々装着されている。針棒ケース４には各針棒１０の各々に対応して６つの天秤１２が上下動可能に夫々装着されている。針棒ケース４の上端部には、少し後方上側へ傾斜する合成樹脂製の糸調子台１３が固定され、この糸調子台１３には、各縫針１１の各々に供給される上糸の為の６つの糸調子器１４が夫々設けられている。
【００３０】
アーム部３の上側には糸立て台１５が設けられ、この糸立て台１５に、６個の糸駒を取付け可能な糸立て棒１６が設けられ、各糸駒から延びる上糸が対応する糸調子器１４及び天秤１２等に掛けられた後、針棒１０の下端に取付けられた縫針１１に供給される。
【００３１】
アーム部３の内部には、針棒変更モータ１７（図４参照）で駆動される針棒選択機構（図示略）が設けられている。針棒ケース４は、針棒選択機構により糸調子台１３と一体的に左右方向へ移動駆動され、６つの針棒１０と天秤１２のうちの１つの針棒１０と天秤１２とが駆動位置に択一的に選択される。
【００３２】
そこで、ミシンモータ１８（図４参照）が駆動されると、駆動位置の針棒１０及び天秤１２が同期して上下駆動され、シリンダベッド５の前端部に設けられた回転釜（図示略）と協働して、シリンダベッド５の上側で刺繍枠９に保持される加工布に刺繍縫目が形成される。更に、アーム部３の右側面には、タッチパネル式の操作パネル６が折り畳み式に設けられている。
【００３３】
この操作パネル６には、図１に示すように、左右方向に長い大型の液晶ディスプレイ６ａが設けられるとともに、液晶ディスプレイ６ａの表面部には、液晶ディスプレイ６ａに表示された複数種類の模様画像や機能名に対応するように、透明な複数のタッチキーを有するタッチパネル６ｂが設けられている。更に、この液晶ディスプレイ６ａの下側に、縫製の開始と停止を指示する起動停止スイッチ６ｃ等が設けられている。
【００３４】
ところで、刺繍縫いを行わない場合には、刺繍枠９の代わりに、左右１対の脚部１の直ぐ上側に作業テーブル（図示略）が水平状に装着される。この作業テーブルには、左右方向中央部において、シリンダベッド５の幅寸法と同じ幅に切り欠いたスリットが形成され、作業テーブルの上面とシリンダベッド５の前端部に設けた針板の上面とが同一高さになっている。それ故、作業性はキルティング生地を作業テーブル上に載置して、キルティング縫いを実行できる。
【００３５】
次に、糸調子器１４と、これに設けられた回転量検出機構４０について説明する。尚、６つの糸調子器１４は同一構造であるので、１つの糸調子器１４について説明する。
図２，図３に示すように、糸調子器１４は、軸部材２０と、ロータリ皿２１（これが回転皿に相当する）と、調節機構２２と、フランジ付き本体部材２３と、永久磁石部材２４と、ホール素子２５等で構成されている。
【００３６】
軸部材２０は、右端側から順次、小径部２０ａ、小径部２０ｂ、中径部２０ｃ、小径部２０ｄからなる段付き構造で、小径部２０ａと、この小径部２０ｂを金属製の本体部材２３に内装し、更に本体部材２３は糸調子台１３にフランジ２３ａを介してビス２９にて固定されている。
【００３７】
このフランジ２３ａには円弧状の長穴２３ｂが形成され、この長穴２３ｂを用いて本体部材２３をビス止めするから、本体部材２３つまり糸調子器１４は糸調子台１３に対して位置調節可能になっている。軸部材２０の小径部２０ａは、本体部材２３の約右半部の嵌合穴２３ｃにタイトに内嵌され、止めネジ３０で本体部材２３に一体的に固定されている。尚、本体部材２３にアース用の止めネジ３１も付設されている。
【００３８】
軸部材２０の中径部２０ｃの先端から中径部２０ｃと小径部２０ｄの略全長に亙って軸方向に延びる割り溝２０ｅが形成され、小径部２０ｄの外周において先端から約１／２長さに亙って雄ネジ２０ｆが形成されている。中径部２０ｃの基端部に、薄板部材３２が外装され、更に環状のフェルト材３３、ロータリ皿２１、環状のフェルト材３４が一体回転可能に外装されている。
【００３９】
調節機構２２は、ロータリ皿２１の回転抵抗を調節する機構であり、ロータリ皿押え３５、調節ダイヤル３６、圧縮コイルバネ３７、環状のバネ受け部材３８を有する。ロータリ皿押え３５は、合成樹脂材料で左端開放の筒状に形成され、中径部２０ｃの右半部に軸方向に移動可能に外嵌されている。このロータリ皿押え３５の下端部で、ロータリ皿２１に回転抵抗を付与する為のフェルト材３３，３４を介してロータリ皿２１を比較的弱い力で押圧する。
【００４０】
調節ダイヤル３６は、合成樹脂材料で下端開放状の略テーパ筒状に形成され、その下端部分がロータリ皿押え３５に内嵌している。調節ダイヤル３６内の上半部には筒部３６ａが一体形成され、この筒部３６ａの内周に雌ネジが形成されて軸部材２０の小径部２０ｄの雄ネジ２０ｆに外嵌螺合可能になっている。
【００４１】
環状のバネ受け部材３８は、調節ダイヤル３６内において小径部２０ｄに軸方向移動可能に外装されている。バネ受け部材３８の上端部に形成されたフランジ３８ａとロータリ皿押え３５間に圧縮コイルバネ３７が介装され、この圧縮コイルバネ３７の付勢力でもってバネ受け部材３８のフランジ３８ａを調節ダイヤル３６内の筒部３６ａに当接させると共に、ロータリ皿押え３５がロータリ皿２１を押圧するようになっている。従って、調節ダイヤル３６を指で回してバネ受け部材３８を軸方向に移動させ、圧縮コイルバネ３７の付勢力を調節し、ロータリ皿押え３５に作用する押圧力を調節してロータリ皿２１の回転抵抗を調節する。
【００４２】
ここで、ロータリ皿２１は、１対の薄板状の金属製円盤を背面合わせ状に係合して構成され、その外周部の断面略Ｖ形の糸案内溝３９に上糸が１巻分（１周分）巻回される。糸案内溝３９の底部付近部のロータリ皿２１には、複数の抜き穴２１ａが周方向一定間隔おきに形成され、これら抜き穴２１ａによって糸案内溝３９に巻回された上糸とロータリ皿２１の間にスリップが生じないようになっている。
【００４３】
次に、回転量検出機構４０について説明する。
回転量検出機構４０は、永久磁石部材２４とホール素子２５等からなっている。ロータリ皿２１の軸心と直交する右側面には、ロータリ皿２１の約１／２の直径で厚さ約２〜３ｍｍの環状の永久磁石部材２４が取付けられている。この永久磁石部材２４は、焼結金属製のものであって、複数のＮ極と複数のＳ極を、Ｎ極とＳ極とが交互に位置するように環状に配置した環状の永久磁石部材からなる。
【００４４】
永久磁石部材２４の磁界はその板厚の方向（糸調子器１４の軸心方向）に向けられている。ホール素子２５は、本体部材のフランジ２３ａに固着された基板に設けられている。それ故、ロータリ皿２１が回転する場合、Ｎ極とＳ極が交互に配設された永久磁石部材２４からホール素子２５に投射される磁界の方向が短時間毎に切り換わるため、ホール素子２５には正弦波的な信号が発生する。そこで、この正弦波的な検出信号を波形整形回路で波形整形した後、「０」〜「１」の範囲の矩形波パルスに変換する。
【００４５】
縫製が開始され、上糸が縫針１１の方へ移動するのに応じて、ロータリ皿２１が回転する。このとき、永久磁石部材２４からホール素子２５へ発する磁界の変化が発生し、ホール素子２５から正弦波的な検出信号が出力され、この検出信号に基づく矩形波パルスのパルス数により、上糸の糸消費量を検出することができる。
【００４６】
次に、多針ミシンＭの制御系について説明する。
図４に示すように、制御装置４５は、ＣＰＵ４６とＲＯＭ４７とＲＡＭ４８等を含むマイクロコンピュータで構成されている。但し、制御装置４５には、ホール素子２５からの正弦波的な検出信号を波形整形する波形整形回路と、このように波形整形した検出信号を矩形波状のパルス信号に変換する為の変換器が設けられている。
【００４７】
制御装置４５には、更に、操作パネル６と、各糸調子器１４に設けられた６つのホール素子２５（１つのホール素子２５だけ図示）と、主軸の回転位相角を検出する位相角検出センサ５０と、ミシンモータ１８の為の駆動回路５３と、針棒変更モータ１７の為の駆動回路５４と、Ｘ軸駆動モータ５１の為の駆動回路５５と、Ｙ軸駆動モータ５２の為の駆動回路５６とが夫々接続されている。
【００４８】
ＲＯＭ４７には、多針ミシンＭを制御して縫製処理する本願特有のミシンモータ制御プログラム、刺繍縫いを行う為の複数種類の模様データ等が格納されている。ＲＡＭ４８には、縫製する刺繍模様の模様データを格納するメモリ、設定された縫目ピッチを記憶する縫目ピッチメモリ、ホール素子２５から受けるパルス数信号のカウント値を記憶するパルス数カウンタ、その他ＣＰＵ４６で演算された演算結果を一次的に格納する各種のバッファやカウンタやメモリ等が必要に応じて設けられている。
【００４９】
次に、多針ミシンＭの制御装置４５により実行されるフリーモーション縫製制御について、図５のフローチャートに基づいて説明する。但し、図中符号Ｓｉ（ｉ＝１１、１２、１３・・・）は各ステップである。
【００５０】
多針ミシンＭに電源が投入されると、操作パネル６の液晶ディスプレイ６ａには、多数の模様群を表示する模様群選択画面が表示され、この模様群選択画面において、通常の刺繍模様が選択されると、図示しない刺繍模様縫製処理が実行される。しかし、フリーモーションが選択されると、フリーモーションモードが設定され、この制御が開始される。
【００５１】
但し、このようにフリーモーションモードが設定されると、Ｘ軸駆動モータ５１とＹ軸駆動モータ５２が所定量だけ駆動されて、キャリッジ７が奥側、つまり後方に移動して待機している。それ故、作業者は作業テーブル上でキルティング縫いを行うことができる。そこで、作業者は、先ず、操作パネル６により縫目ピッチを設定する縫目ピッチ設定処理を実行する（Ｓ１１）。
【００５２】
この縫目ピッチ設定処理においては、操作パネル６の液晶ディスプレイ６ａに縫目ピッチ設定画面が表示されるので、作業者は所望の縫目ピッチ、例えば、「５ｍｍ」を設定する。その結果、制御装置４５のＲＡＭ４８に有する縫目ピッチメモリには、Ｓ１１で設定された縫目ピッチが基準の縫目ピッチとして記憶される。
【００５３】
次に、作業者により起動停止スイッチ６ｃが操作されてミシンモータ１８が起動されると（Ｓ１２：Ｙｅｓ）、ミシンモータ１８は所定の低速回転（例えば、１００回転／分）で駆動される（Ｓ１３）。次に、針数カウンタの針数カウント値ＮＮが「０」に初期設定され（Ｓ１４）、縫製速度制御処理（図６参照）が実行される（Ｓ１５）。
【００５４】
この縫製速度制御処理のための縫製速度制御が開始されると、先ず、位相角検出センサ５０から入力される位相角信号に基づいて、主軸の位相角が求められ、位相角が「１１５°」でない場合、つまり縫針１１がキルティング用生地に刺さる位相角でない場合には（Ｓ２１：Ｎｏ）、この制御を直ぐに終了する。しかし、縫針１１がキルティング用生地に刺さって、位相角が「１１５°」に達した場合には（Ｓ２１：Ｙｅｓ）、針数カウント値ＮＮが１つインクリメントされる（Ｓ２２）。
【００５５】
次に、この針数カウント値ＮＮが「５」よりも大きくない場合、つまり縫製開始後、針数が「５針」以下の場合には（Ｓ２３：Ｎｏ）、ＲＡＭ４８のパルス数メモリに記憶されているパルス信号のカウント値がクリアされ（Ｓ２８）、この制御を終了する。しかし、針数カウント値ＮＮが「５」よりも大きい場合、つまり縫製開始後、針数が「６針」に達すると（Ｓ２３：Ｙｅｓ）、縫目の形成状態が安定することから、パルス数メモリに記憶されているパルス信号のカウント値が読み込まれる（Ｓ２４）。
【００５６】
次に、この読み込まれたパルス信号のカウント値に基づいて上糸消費量が演算される（Ｓ２５）。即ち、１つのパルス信号に対応する上糸消費量にカウント値を掛け算することで、今回の布送りにより消費された上糸消費量が縫目ピッチとして演算される。次に、このように演算された縫目ピッチに基づいて、Ｓ１１で設定された基準の縫目ピッチとなるようミシンモータ１８の適正縫製速度が演算される（Ｓ２６）。
【００５７】
この適正縫製速度演算においては、Ｓ２５で求められた実際の上糸消費量（実際の縫目ピッチ）に現在のミシンモータ１８の縫製速度を掛け算し、Ｓ１１で設定された基準の縫目ピッチで割り算することで、適正な縫製速度が求められる。そこで、この適正な縫製速度となるように、ミシンモータ１８が制御される（Ｓ２７）。これにより、手動で布送りされる量に従った縫製速度に制御され、縫目ピッチを揃えることができる。そして、最後に、パルス信号のカウント値がクリアされ（Ｓ２８）、この制御を終了し、フリーモーション縫製制御のＳ１６にリターンする。
【００５８】
そして、フリーモーション縫製制御において、パルス信号のカウント値をカウントアップする上糸消費量演算処理が実行され（Ｓ１６）、ホール素子２５から入力されるパルス信号によりパルス数カウンタのカウント値を順次インクリメントする。次に、起動停止スイッチ６ｃが操作されない場合には（Ｓ１７：Ｎｏ）、Ｓ１５〜Ｓ１７が繰返して実行される。フリーモーション縫いの終了に伴って起動停止スイッチ６ｃが操作された場合（Ｓ１７：Ｙｅｓ）、この制御を終了する。
【００５９】
ここで、フリーモーション縫製制御のＳ１１が縫目ピッチ設定ルーチンに相当し、このＳ１１を実行する制御装置４５が縫目ピッチ設定手段に相当する。また、縫製速度制御のＳ２４が糸消費量検出ルーチンに相当し、このＳ２４を実行する制御装置４５が糸消費量検出手段に相当する。また、縫製速度制御のＳ２５が糸消費量演算ルーチンに相当し、このＳ２５を実行する制御装置４５が糸消費量演算手段に相当する。更に、縫製速度制御のＳ２６〜Ｓ２７が速度制御ルーチンに相当し、このＳ２６〜Ｓ２７を実行する制御装置４５が速度制御手段に相当する。更に、ホール素子２５、永久磁石部材２４、パルス数カウンタ等から回転量検出手段が構成されている。
【００６０】
次に、多針ミシンＭの作動について説明する。
作業者は、キルティング縫いに際して、先ず所望の縫目ピッチ、例えば、「５ｍｍ」を操作パネル６により設定する。そして、起動停止スイッチ６ｃが操作されてキルティング縫いが開始されると、縫製速度が安定するまで、最初の５針分の縫製処理においては、例えば、毎分１００回転の低速で縫製される。この５針分においても、作業者はキルティング生地を任意の方向に移動させながらキルティング縫いが実行される。
【００６１】
５針分の低速による縫製処理が終了し、６針目以降においては、縫針１１がキルティング生地に刺さり、主軸の位相角が１１５°に達したときに、パルス信号のカウント値に基づいて、今回の布送りにより消費された上糸消費量が演算される。この上糸消費量が「６ｍｍ」の場合には、Ｓ２６において説明した演算式により、適正な縫製速度として「１２０回転／分」が求められるので、この「１２０回転」の回転速度となるようにミシンモータ１８が制御される。
【００６２】
それ故、ミシンモータ１８の回転速度が高速化されるので、１針あたりのキルティング生地の移動量が少なくなり、布送り量、つまり実際の縫目ピッチが基準の縫目ピッチ「５ｍｍ」に近づく。その為、作業者により手動で布送りされるキルティング生地の移動距離、つまり縫目ピッチが揃うようになり、見栄えのよいキルティング縫いに仕上がる。
【００６３】
このように、実際の縫目ピッチが設定された縫目ピッチよりも大きい場合には、ミシンモータ１８の回転速度が速くなるように制御される一方、実際の縫目ピッチが設定された縫目ピッチよりも小さい場合には、ミシンモータ１８の回転速度が遅くなるように制御されるので、加工布の色や材質、縫製時に照射される外光の色や明るさに影響を受けることなく、作業者により手動で布送りされる加工布の移動距離、つまり縫目ピッチが予め設定された基準の縫目ピッチに揃うようになり、見栄えのよい縫い仕上がりになる。
【００６４】
また、縫製速度制御は、縫い始めから６針目以降の各縫製サイクルで適用するようにしているので、縫い始めの５針分の縫目の形成が不安定な状態を回避して、６針目以降の安定した縫製状態で縫製速度制御を実行することができる。
【００６５】
また、縫針１１側への上糸１９の繰り出しにより回転可能に構成され、上糸１９に張力を付与するロータリ皿２１と、このロータリ皿２１の回転量を検出する回転量検出機構４０を設けたので、小型且つ簡単な構成の回転量検出機構４０により、低コスト化が図れ、しかも糸消費量を精度良く検出することができる。
【００６６】
更に、各縫製サイクルにおける糸消費量を、縫針１１がキルティング生地に刺さるときの主軸の所定の回転位相角（１１５°）までに決定するので、手動による布送りが実行された布送り完了時点で布送りにより消費された糸消費量を決定することができ、次の布送りに際して、主軸の回転速度を迅速に反映することができ、縫目ピッチの均一化を図ることができる。
【００６７】
次に、前記実施例を部分的に変更した変更形態について説明する。
１）フリーモーション縫製制御において、基準となる縫目ピッチは、作業者により設定されるのではなく、縫製開始直後の５針目の布送りによる上糸消費量により自動的に設定するようにしてもよい。即ち、図７に示すように、作業者により、基準となる縫目ピッチが設定されることなく、直ぐに、起動停止スイッチ６ｃの操作により（Ｓ１２：Ｙｅｓ）、キルティング縫いが開始される。ここで、Ｓ１３〜Ｓ１７については前述した実施例のフリーモーション縫製制御と同様なので、その説明を省略する。
【００６８】
次に、部分的に変更された縫製速度制御について図８に基づいて説明する。主軸の位相角が「１１５°」に達すると（Ｓ３１：Ｙｅｓ）、針数カウント値ＮＮが１つインクリメントされ（Ｓ３２）、針数カウント値ＮＮが「５」未満の場合には（Ｓ３３）、回転パルス数のカウント値がクリアされ（Ｓ４１）、この制御を直ぐに終了する。しかし、針数カウント値ＮＮが「５」になったときには（Ｓ３３）、パルス信号のカウント値が読み込まれ（Ｓ３４）、このカウント値に基づいて上糸消費量が演算され（Ｓ３５）、この上糸消費量に基づいて、基準の縫目ピッチとして縫目ピッチメモリに記憶されて設定される（Ｓ３６）。
【００６９】
その後、針数カウント値ＮＮが「５」よりも大きい場合には（Ｓ３３）、Ｓ３７〜Ｓ４１が前述したＳ２４〜Ｓ２８と同様に実行される。この場合にも、前記実施例と同様の効果を奏することができる上、作業者による基準とする縫目ピッチの設定作業を省略することができ、縫製作業能率が向上する。
【００７０】
２）上糸消費量を、アーム部の糸掛け経路に設けたＣＭＯＳイメージセンサ６０ａ（これが撮像手段に相当する）で検出するようにしてもよい。即ち、図９に示すように、多針ミシンＭの糸調子台１３の後端近傍部の内部に、６つの上糸掛け経路の各々に対応するように、センサユニット６０が夫々設けられている。
【００７１】
各センサユニット６０には、図１０に示すように、ＣＭＯＳイメージセンサ６０ａと、このＣＭＯＳイメージセンサ６０ａに接続されたＤＳＰ（デジタル・シグナル・プロセサー）６０ｂと、ＬＥＤ（発光ダイオード）６０ｃが組み込まれている。そこで、糸調子台１３に形成された開口穴を介して、上糸１９をＣＭＯＳイメージセンサ６０ａで撮像可能になっている。
【００７２】
それ故、このセンサユニット６０のＤＳＰ６０ｂは１チップマイコンからなり、ＣＭＯＳイメージセンサ６０ａで撮像された微小時間毎の多数の画像データ（画像情報）を逐次信号処理し、撮像開始した時点からの上糸の総移動量を演算して記憶する一方、この総移動量を制御装置４５Ａに出力可能になっている。
【００７３】
次に、多針ミシンＭの制御系について説明する。
図１０に示すように、制御装置４５Ａは、前述した実施例の制御装置４５と略同様に構成されている。但し、制御装置４５Ａには、６つのセンサユニット６０（１つのセンサユニット６０だけ図示）が接続されている。
【００７４】
次に、センサユニット６０から供給される画像情報に基づいて上糸消費量を検出してミシンモータ１８の回転速度を制御するフリーモーション縫製制御について説明する。
図１１に示すように、このフリーモーション縫製制御は、前述した実施例のフリーモーション縫製制御のＳ１６を省略したものであり、詳細な説明を省略する。
【００７５】
次に、図１２に示す縫製速度制御について説明する。先ず、この縫製速度制御のＳ５１〜Ｓ５３については前述した実施例のＳ２１〜Ｓ２３と同様である。そして、針数カウント値ＮＮが「５」よりも大きいの場合（Ｓ５３：Ｙｅｓ）、センサユニット６０から上糸移動量が読み込まれる（Ｓ５４）。ここで、この読み込まれた上糸移動量は、主軸が１１５°に達する毎の１縫製サイクルにおける糸移動量である。
【００７６】
次に、前述したＳ２６〜Ｓ２７と同様にＳ５５〜Ｓ５６が実行され、適正な縫製速度となるようにミシンモータ１８が制御される。その後、制御装置４５Ａからセンサユニット６０に対してクリアコマンドを送信することで、センサユニット６０の糸移動量がクリアされる（Ｓ５７）。ここで、センサユニット６０が画像データ処理手段に相当する。縫製速度制御のＳ５４〜Ｓ５５を実行する制御装置４５Ａが糸消費量演算手段に相当する。
【００７７】
このように、上糸をＣＭＯＳイメージセンサ６０ａで微小時間毎に撮像し、このＣＭＯＳイメージセンサ６０ａから出力される多数の画像データを処理して糸消費量を演算するセンサユニット６０を設けたので、小型且つ安価な撮像手段を設けるだけで、上糸１９の糸消費量を、画像処理により無接触で精度良く求めることができる。ここで、ＣＭＯＳイメージセンサ６０ａに代えて、ＣＣＤイメージセンサを用いることも可能である。
【００７８】
３）上糸消費量を、糸取りバネ７１がバネ力不作用位置からバネ力作用位置に切換わるときの切り換わりタイミングを主軸の位相角で検出し、この切り換わりときの主軸の位相角に応じてミシンモータ１８の回転速度を制御するようにしてもよい。
【００７９】
そこで、糸取りバネ７１が、上糸１９にバネ力が作用したバネ力作用位置に切り換わるのを検出する切り換わり検出機構７０について、図１３，図１４に基づいて説明する。
【００８０】
切り換わり検出機構７０は、糸調子器１４の近傍の糸調子台１３に設けられ、糸調子器１４から天秤１２へ至る上糸１９を引っ掛けて天秤１２と略同期して揺動する糸取りバネ７１と、糸取りバネ７１と一体的に揺動する筒状の揺動部材７２と、糸取りバネ７１を揺動側へ回動付勢する捩じりバネ７３と、揺動部材７２に設けられたシャッター７４と、シャッター７４の回動位置を検出可能なフォトインタラプタからなる切り換わり検出センサ７５等で構成されている。
【００８１】
糸取りバネ７１は捩じりバネ７３の先端部分に曲げ形成され、この捩じりバネ７３の殆どは合成樹脂製のバネホルダー７６の内部に収納され、バネホルダー７６は糸調子台１３に固定されている。
【００８２】
捩じりバネ７３は径方向外側へ屈曲させたレバー部７３ａを有し、このレバー部７３ａの先端部分を屈曲させて糸取りバネ７１が形成されている。また、捩じりバネ７３は直線状に伸ばした連結直線部７３ｂを有し、この連結直線部７３ｂがバネホルダー７６に挿通されて回動不能に連結されている。
【００８３】
揺動部材７２は、バネホルダー７６に回動自在に外嵌装着される筒部７２ａと、筒部７２ａの外周部側から下方へ延びるバー部７２ｂと、バー部７２ｂの下端部から水平方向延びる揺動部７２ｃとを一体形成してなる合成樹脂材料で構成されている。揺動部７２ｃの先端部にシャッター７４が一体形成されている。
【００８４】
バネホルダー７６の一端部に鍔部７６ａが一体形成され、揺動部材７２の筒部７２ａは鍔部７６ａに当接させてバネホルダー７６に外嵌装着され、揺動部材７２は糸取りバネ７１と一体的に揺動可能になっている。更に、糸調子台１３に固着された基板７７に、発光部と受光部とを対向状に有する切り換わり検出センサ７５が取付けられ、これら発光部と受光部との間を、シャッター７４が移動可能になっている。
【００８５】
それ故、糸取りバネ７１が、図１４に実線で示すバネ力不作用位置にあるときには、シャッター７４が切り換わり検出センサ７５の発光部と受光部間を遮蔽し、切り換わり検出センサ７５によりシャッター７４が検出された状態になる。一方、糸取りバネ７１が、図１４に２点鎖線で示すバネ力作用位置にあるときには、シャッター７４が切り換わり検出センサ７５の発光部と受光部間から離れ、切り換わり検出センサ７５によりシャッター７４が検出されない状態になる。
【００８６】
縫製中において、縫針１１が加工布よりも下側に移動した状態では、縫針１１の下降に同期して天秤１２が下降する為、糸取りバネ７１は図１４に実線で示すバネ力不作用位置に切換えられている。しかし、縫針１１が加工布よりも上側に移動して加工布が布送りされる場合に、この布送り量により消費された上糸消費量に必要な上糸１９が糸駒から繰り出されて縫針１１に供給されるため、糸取りバネ７１は捩じりバネ７３の回動付勢力に抗して揺動し、図１４に２点鎖線で示すバネ力作用位置に切換えられる。
【００８７】
このように、糸取りバネ７１がバネ力不作用位置に切換えられた場合には、切り換わり検出センサ７５から一定時間連続的に「Ｌ」レベルの検出信号が出力される。しかし、糸取りバネ７１がバネ力作用位置に切換えられた場合には、シャッター７４が切り換わり検出センサ７５の発光部と受光部を遮蔽しないので、切り換わり検出センサ７５から一定時間連続的に「Ｈ」レベルの検出信号が出力される。
【００８８】
次に、多針ミシンＭの制御系について説明する。
図１５に示すように、制御装置４５Ｂは、前記実施例と略同様に構成されている。但し、制御装置４５Ｂに、６つの切り換わり検出センサ７５（１つの切り換わり検出センサ７５だけ図示）が電気的に接続されている。
【００８９】
次に、制御装置４５Ｂで実行されるフリーモーション縫製制御について説明する。この場合、前述した実施例で説明した図５のフリーモーション縫製制御が実行されながら、図１６に示す割込み処理によりミシンモータ１８が制御される。この割込み処理は、糸取りバネ７１がバネ力作用位置に切換えられて、切り換わり検出センサ７５から「Ｈ」レベルの検出信号が入力される毎に実行される。
【００９０】
主軸の位相角が約７０°に達して、天秤１２の上昇動作による糸引き締めに際して、布送りにより消費された上糸１９が糸駒から繰り出されるのに応じて、主軸の位相角が約３５０°〜２０°の範囲において、糸取りバネ７１がバネ力作用位置に切換えられ、切り換わり検出センサ７５から「Ｈ」レベルの検出信号が入力されて、図１６に示す割込み処理が実行される。
【００９１】
この割込み処理が実行されると、針数カウント値ＮＮが「５以下」の場合には（Ｓ６２：Ｎｏ）、この制御を直ぐに終了する。しかし、針数カウント値ＮＮが「５よりも大きい」場合には（Ｓ６２：Ｙｅｓ）、このときの主軸の位相角が読み込まれ（Ｓ６３）、この位相角θに基づいて、縫目長さが演算される（Ｓ６４）。この縫目長さ演算処理においては、例えば、−０．００１θ３＋０．０４０７θ２×２．０４５５θ＋２７．２により演算される。但し、３５０°は−１０°とするように連続した数値で角度θを与える。
【００９２】
次に、この縫目長さが縫目ピッチとして、適正な縫製速度が演算される（Ｓ６５）。この適正縫製速度演算は、前記実施例のＳ２６で説明したのと同様なので、その説明を省略する。そして、このように求められた適正縫製速度となるように、ミシンモータ１８が制御され（Ｓ６６）、この制御を終了する。
【００９３】
ここで、位相角検出センサ５０が位相角検出手段に相当し、割込み処理のＳ６３を実行する制御装置４５Ｂが糸取りバネタイミング検出手段に相当し、糸取りバネ７１を有する切り換わり検出機構７０と制御装置４５Ｂ等がタイミング検出手段に相当し、割込み処理のＳ６４を実行する制御装置４５Ｂが糸消費量演算手段に相当する。但し、ＲＯＭ４７に、上糸消費量と主軸の位相角とを対応させた位相角テーブルデータを予め記憶させておき、Ｓ６４において、読み込まれた位相角に対応する上糸消費量を位相角テーブルから求めるようにしてもよい。
【００９４】
このように、布送りにより消費された上糸１９の糸駒からの供給に際して、糸取りバネ７１は糸消費量が多い程、布送りの最終時点において、早いタイミングでバネ力作用位置へ切り換わることから、今回の布送りで消費された糸消費量に応じたミシンモータ１８の制御が、今回の布送りの最終時点で直ぐに反映することができる。しかも、主軸の位相角が１１５°に達すると、前述した実施例の縫製速度制御により、ミシンモータ１８の速度制御が続いて実行されるので、ミシンモータ１８の回転速度の制御精度を格段に高めることができる。
【００９５】
ここで、布送りによる上糸消費に伴って糸駒から供給される上糸の供給開始タイミングを、回転量検出機構４０のロータリ皿２１の回転開始タイミングで検出したり、ＣＭＯＳイメージセンサにより検出し、この糸供給開始タイミングに基づいてミシンモータ１８の速度制御を行うようにしてもよい。
【００９６】
４）前述した実施例及び変更形態においては、縫製に伴う上糸１９の糸消費量を求めたが、ＣＭＯＳイメージセンサを回転釜の近傍に設け、下糸についても同様に糸消費量を下糸移動量により演算により求め、この下糸消費量に基づいて、ミシンモータ１８の回転速度を制御して、縫目ピッチを揃えるようにしてもよい。この場合にも、前記実施例と同様の効果を奏することができる。
【００９７】
５）前述した実施例における糸調子器１４は、ロータリ皿２１によって上糸に張力を付与すると共にこのロータリ皿２１の回転量を検出することにより上糸の糸消費量を検出する構成であるが、上糸に張力を付与する為の糸調子皿を有する糸調子器と、上糸の糸消費量を検出する為の回転皿を有する糸消費量検出器とを別々に設けてもよい。
【００９８】
６）糸取りバネ７１を有する切り換わり検出機構７０は、針棒ケース４の中に設けてもよい。
【００９９】
７）本発明は、以上説明した実施例に限定されるものではなく、当業者であれば、本発明の趣旨を逸脱しない範囲で種々の変更を付加して実施することができ、本発明はそれらの変更形態をも包含するものである。
【図面の簡単な説明】
【０１００】
【図１】多針ミシンの斜視図である。
【図２】糸調子器の要部部分縦断側面図である。
【図３】糸調子器の要部横断平面図である。
【図４】多針ミシンの制御系のブロック図である。
【図５】フリーモーション縫製制御のフローチャートである。
【図６】縫製速度制御のフローチャートである。
【図７】変更形態に係る図５相当図である。
【図８】変更形態に係る図６相当図である。
【図９】多針ミシンの糸調子台の平面図である。
【図１０】変更形態に係る図４相当図である。
【図１１】変更形態に係る図５相当図である。
【図１２】変更形態に係る図６相当図である。
【図１３】切り換わり検出機構の斜視図である。
【図１４】切り換わり検出機構の平面図である。
【図１５】変更形態に係る図４相当図である。
【図１６】割込み処理制御のフローチャートである。
【符号の説明】
【０１０１】
Ｍ      多針ミシン
６      操作パネル
１１    縫針
２１    ロータリ皿
２５    ホール素子
４０    回転量検出機構
４５    制御装置
４５Ａ  制御装置
４５Ｂ  制御装置
６０    センサユニット
６０ａ  ＣＭＯＳイメージセンサ
７０    切り換わり検出機構
７１    糸取りバネ
【図１】
2007313159.tif 000003
【図２】
2007313159.tif 000004
【図３】
2007313159.tif 000005
【図４】
2007313159.tif 000006
【図５】
2007313159.tif 000007
【図６】
2007313159.tif 000008
【図７】
2007313159.tif 000009
【図８】
2007313159.tif 000010
【図９】
2007313159.tif 000011
【図１０】
2007313159.tif 000012
【図１１】
2007313159.tif 000013
【図１２】
2007313159.tif 000014
【図１３】
2007313159.tif 000015
【図１４】
2007313159.tif 000016
【図１５】
2007313159.tif 000017
【図１６】
2007313159.tif 000018